(57)【要約】【課題】  線状部材を首に吊り下げて使用する身飾品において金具が使用者の正面に移動してしまうことを回避できる身飾品部品を提供する。【解決手段】  バチカン２１は、環状をしており、チェーン１１を挿通する部品開口部２１ａを有する。部品開口部２１ａの内周面には、部品開口部２１ａの中央に向けて突出した突出部２３が設けられている。突出部２３は、チェーン１１の環状部材１５の開口部１５ａを挿通することで、チェーン１１を係止する。これにより、バチカン２１はチェーン１１の当該係止箇所に固定され、チェーン１１に沿ったバチカン２１の移動が規制される。【選択図】図２
2018175495.tif 000002
【特許請求の範囲】
【請求項１】
複数の要素体を繋げて環状に形成される線状部材を通す部品開口部を備えた身飾品部品であって、
前記部品開口部の内部に向けて突出し、前記線状部材を係止する突出部が前記部品開口部の内面に設けられている
身飾品部品。
【請求項２】
前記要素体が環状をしている場合に、
前記突出部は、当該身飾品部品を用いた身飾品が前記線状部材を使用者の首に吊るされて装着された状態で、前記身飾品本体に向けて突出するように前記部品開口部の内面に設けられており、前記突出部は前記要素体の開口部内に位置する
請求項１に記載の身飾品部品。
【請求項３】
前記突出部が延在する方向における前記部品開口部の内径に対して、前記突出部の高さは半分以下であり、
前記突出部は先細形状をしている
請求項１又は請求項２に記載の身飾品部品。
【請求項４】
前記要素体が球状をしている場合に、
前記部品開口部の前記身飾品本体の位置と反対側に位置に前記線状部材を吊るした状態で、
前記突出部は、重力方向に対して１°〜９０°の角度を持つ方向に延在するように、前記部品開口部の内面に設けられており、前記要素体の外面と前記突出部とが係止する
請求項１に記載の身飾品部品。
【請求項５】
前記突出部の先端と、前記部品開口部の内面との最短距離は、前記線状部材の外径より大きい
請求項４に記載の身飾品部品。
【請求項６】
複数の略矩形状の要素体を繋げて環状に形成される線状部材を通す部品開口部を備えた身飾品部品であって、
前記部品開口部の内側に、前記線状部材の前記要素体の外側表面を係止する凹部が設けられている
身飾品部品。
【請求項７】
前記凹部は、第１の凹部が形成された第１の壁部と、前記第１の壁部と平行に延在し前記第１の凹部と対向する略同一形状の第２の凹部が形成された第２の壁部とを有し、
前記第１の壁部と前記第２の壁部との間に空間を有する
請求項６に記載の身飾品部品。
【請求項８】
前記第１の壁部及び前記第２の壁部は、当該身飾品部品を用いた身飾品が前記線状部材を使用者の首に吊るされて装着された状態で下方にいくに従って相互間の距離が短くなるように傾斜している
請求項７に記載の身飾品部品。
【請求項９】
身飾品本体は、連結部によって前記部品開口部と連結さているか、当該身飾品部品と一体的に形成されている
請求項１〜８のいずれかに記載の身飾品部品。
【請求項１０】
請求項１〜９のいずれかの身飾品部品を備えた身飾品。
【発明の詳細な説明】
【技術分野】
【０００１】
本発明は、ネックスレス等の身飾品に用いられる身飾品部品に関する。
【背景技術】
【０００２】
ネックレス等の身飾品には、首に吊り下げるためのチェーン等の線状部材がバチカンの開口部に挿通されると共に、バチカンに身飾品本体が取り付けられている。
【発明の概要】
【発明が解決しようとする課題】
【０００３】
このような身飾品では、本来、使用者の首の後ろ側に位置すべき金具がその重さにより、線状部材を移動して前方に回ってきてしまうという問題がある。
【０００４】
本発明はかかる事情に鑑みてなされたものであり、その目的は、線状部材を首に吊り下げて使用する身飾品において金具が使用者の正面に移動してしまうことを回避できる身飾品部品及び身飾品を提供することにある。
【課題を解決するための手段】
【０００５】
本発明の身飾品部品は、複数の要素体を繋げて環状に形成される線状部材を通す部品開口部を備えた身飾品部品であって、前記部品開口部の内部に向けて突出し、前記線状部材を係止する突出部が前記部品開口部の内面に設けられている。
【０００６】
好適には、前記要素体が環状をしている場合に、前記突出部は、当該身飾品部品を用いた身飾品が前記線状部材を使用者の首に吊るされて装着された状態で、前記身飾品本体に向けて突出するように前記部品開口部の内面に設けられており、前記突出部は前記要素体の開口部内に位置する。
【０００７】
好適には、前記突出部が延在する方向における前記部品開口部の内径に対して、前記突出部の高さは半分以下であり、前記突出部は先細形状をしている。
【０００８】
好適には、前記要素体が球状をしている場合に、前記部品開口部の前記身飾品本体の位置と反対側に位置に前記線状部材を吊るした状態で、前記突出部は、重力方向に対して１°〜９０°の角度を持つ方向に延在するように、前記部品開口部の内面に設けられており、前記要素体の外面と前記突出部とが係止する。
【０００９】
好適には、前記突出部の先端と、前記部品開口部の内面との最短距離は、前記線状部材の外径より大きい。
【００１０】
また、本発明の身飾品部品は、複数の略矩形状の要素体を繋げて環状に形成される線状部材を通す部品開口部を備えた身飾品部品であって、前記部品開口部の内側に、前記線状部材の前記要素体の外側表面を係止する凹部が設けられている。
【００１１】
好適には、前記凹部は、第１の凹部が形成された第１の壁部と、前記第１の壁部と平行に延在し前記第１の凹部と対向する略同一形状の第２の凹部が形成された第２の壁部とを有し、前記第１の壁部と前記第２の壁部との間に空間を有する。
【００１２】
好適には、前記第１の壁部及び前記第２の壁部は、当該身飾品部品を用いた身飾品が前記線状部材を使用者の首に吊るされて装着された状態で下方にいくに従って相互間の距離が短くなるように傾斜している。
【００１３】
好適には、身飾品本体は、連結部によって前記部品開口部と連結さているか、当該身飾品部品と一体的に形成されている。
【００１４】
また、本発明の身飾品は、上記身飾品部品を備えている。
【発明の効果】
【００１５】
本発明によれば、線状部材を首に吊り下げて使用する身飾品において金具が使用者の正面に移動してしまうことを回避できる身飾品部品及び身飾品を提供することができる。
【図面の簡単な説明】
【００１６】
【図１】図１は、本発明の第１実施形態に係るペンダントの正面図である。
【図２】図２は、図１に示すバチカンの正面方向の形状を説明するための図である。
【図３】図３は、図１に示すバチカンの正面方向の形状を説明するための図である。
【図４】図４は、図１に示すバチカンの右側面図である。
【図５】図５は、図１に示すバチカンの平面図である。
【図６】図６は、図１に示すバチカンの底面図である。
【図７】図７は、図５に示すＡ−Ａ断面線におけるバチカンの断面図である。
【図８】図８は、本発明の第２実施形態に係るペンダントのバチカンの正面方向の形状を説明するための図である。
【図９】図９は、本発明の第３実施形態に係るペンダントの正面図である。
【図１０】図１０は、図９に示すバチカンの正面方向の形状を説明するための図である。
【図１１】図１１は、図９に示すバチカンの正面方向の形状を説明するための図である。
【図１２】図１２は、図１１に示すバチカンの底面図である。
【図１３】図１３は、図１１に示すバチカンの斜視図である。
【発明を実施するための形態】
【００１７】
以下、本発明の実施形態に係るペンダントについて説明する。
＜第１実施形態＞
図１は、本発明の第１実施形態に係るペンダント１の正面図である。
図１に示すように、ペンダント１は、例えば、チェーン１１と、バチカン２１と、身飾品本体３１とを有する。
【００１８】
チェーン１１は、複数の略楕円形状の環状部材（鎖素子）１５を一列に繋げて線状にし、チェーン（鎖）を形成している。
チェーン１１の両端部には金具１３の第１係合部１３ａと第２係合部１３ｂとがそれぞれが着脱可能に連結する。金具１３の第１係合部１３ａと第２係合部１３ｂを連結することで、チェーン１１が環状に形成される。
【００１９】
図２及び図３は、図１に示すバチカン２１の正面方向の形状を説明するための図である。図２は、ペンダント１が、チェーン１１を使用者の首に吊るされて装着された状態を示している。図４は図１に示すバチカン２１の右側面図である。図５は図１に示すバチカン２１の平面図である。図６は図１に示すバチカン２１の底面図である。図７は図５に示すＡ−Ａ断面線におけるバチカン２１の断面図である。
【００２０】
図２及び図３に示すように、バチカン２１は、環状をしており、チェーン１１を挿通する部品開口部２１ａを有する。
部品開口部２１ａの内周面には、部品開口部２１ａの中央に向けて突出した突出部２３が設けられている。
【００２１】
突出部２３は、チェーン１１の環状部材１５の開口部１５ａを挿通することで、チェーン１１を係止する。これにより、バチカン２１はチェーン１１の当該係止箇所に固定され、チェーン１１に沿ったバチカン２１の移動が規制される。
【００２２】
図２に示すように、ペンダント１が、チェーン１１を使用者の首に吊るされて装着された状態で、突出部２３及びチェーン１１は重力方向において上側（使用者の首側）に位置し、身飾品本体３１はその反対の下側に位置する。すなわち、この状態で、突出部２３は、身飾品本体３１に向けて下方に突出するように位置している。これにより、バチカン２１及び身飾品本体３１の重さにより、環状部材１５の開口部１５ａが突出部２３に安定して保持される。
【００２３】
このように、バチカン２１の突出部２３に、環状部材１５の開口部１５ａを挿通することで、バチカン２１をチェーン１１の所定の位置に係止できる。そのため、チェーン１１上において、金具１３の第１係合部１３ａと第２係合部１３ｂとの略中間位置にバチカン２１を係止することで、バチカン２１が使用者の正面に位置する状態では、金具１３を常に使用者の首背面に位置させることができ、金具１３が正面に移動してしまうことを回避できる。
【００２４】
突出部２３は、バチカン２１の部品開口部２１ａの内周面から先端に向けて細くなる先細形状をしている。突出部２３の先端付近の径は環状部材１５の開口部１５ａを挿入可能である。また、図２に示すように、突出部２３は、装着した環状部材１５の開口部１５ａを、その先端と部品開口部２１ａの内周面との間で保持する形状をしている。
【００２５】
また、図３に示すように、突出部２３が延在する方向における部品開口部２１ａの内径ｈ１に対して、突出部２３の高さｈ２は半分以下である。これにより、突出部２３に環状部材１５の開口部１５ａを挿入した状態で、バチカン２１の姿勢を安定化できると共に、突出部２３を目立たなくでき、優れた美感を得ることができる。
【００２６】
以上説明したように、バチカン２１によれば、簡単な形状により、チェーン１１の所定の位置に安定して係止でき、使用者の首の背後に位置すべき金具１３が使用者の前側に移動しまうことを回避できる。
【００２７】
＜第２実施形態＞
図８は、本発明の第２実施形態に係るペンダント１０１のバチカン１２１の正面方向の形状を説明するための図である。図８は、ペンダント１０１が、チェーン１１１を使用者の首に吊るされて装着された状態を示している。
当該第２実施形態のチェーン１１１は、略球形の鎖素子１１５を、鎖素子１１５の貫通孔に紐状部材を通して一列に繋げて線状にして形成されている。
【００２８】
バチカン１２１は、環状をしており、部品開口部１２１ａの内周面に部品開口部１２１ａの中央に向けて突出した突出部１２３が設けられている。
図８に示すように、ペンダント１０１が、チェーン１１１を使用者の首に吊るされて装着された状態で、チェーン１１１は重力方向において上側（使用者の首側）に位置し、身飾品本体３１はその反対の下側に位置する。
【００２９】
このとき、突出部１２３は、重力方向に対して１°〜９０°、好ましくは略４５°の角度を持って下方に向けて延在するように、部品開口部１２１ａの内面に設けられている
【００３０】
ここで、突出部１２３の角度を１°〜９０°としたのは、９０°より大きいいと（チェーンの着脱が難しくなるのと、突起の先端で止めることになり、止まりにくくなるという不都合が生じるためである。
【００３１】
ここで、突出部１２３は、先細形状をしており、その先端と部品開口部１２１ａの内面との間に形成される部品開口部１２５の最小長は、鎖素子１１５の外径より長い。そのため、鎖素子１１５は、部品開口部１２５を通ることができる。
【００３２】
図８に示すように、チェーン１１１が使用者の首に吊り下げられている状態で、突出部１２３とバチカン１２１との間の上側の空間に、鎖素子１１５が挟み込まれて係止される。
【００３３】
チェーン１１１では、図８に示すように、使用時に突出部１２３が重力方向に対して略４５°の角度を持って下方に向けて延在しているため、部品開口部１２１ａ内の下側に位置していた鎖素子１１５を部品開口部１２５を通して比較的スムーズに上側の領域に位置できる。
また、引っかかり部分の少ない形状のチェーンにおいて突出部の全体でチェーンの動きを抑える事ができるという効果もある。
【００３４】
＜第３実施形態＞
図９は、本発明の第３実施形態に係るペンダント２０１の正面図である。
図９に示すように、ペンダント２０１は、例えば、チェーン２１１と、バチカン２２１と、身飾品本体３１とを有する。
【００３５】
チェーン２１１は、複数の略矩形状の要素体２１５を一列に繋げて線状にし、チェーン（鎖）を形成している。
チェーン２１１の両端部には金具１３の第１係合部１３ａと第２係合部１３ｂとがそれぞれが着脱可能に連結する。金具１３の第１係合部１３ａと第２係合部１３ｂを連結することで、チェーン２１１が環状に形成される。
【００３６】
図１０及び図１１は、図９に示すバチカン２２１の正面方向の形状を説明するための図である。図１０は、ペンダント２０１が、チェーン２１１を使用者の首に吊るされて装着された状態を示している。図１２は図１１に示すバチカン２２１の底面図である。図１３は図１１に示すバチカン２２１の斜視図である。
【００３７】
図１０〜図１３に示すように、バチカン２２１の部品開口部２２１ａの身飾品本体３１と反対側の内側には凹部２２３が形成されている。凹部２２３には、チェーン２１１が係止される。凹部２２３は、第１の凹部２２３ａ及び第２の凹部２２３ｂによって構成される。
【００３８】
図１２及び図１３に示すように、バチカン２２１は、第１の凹部２２３ａが形成された第１の壁部２１７ａと、第１の壁部２１７ｂと平行に延在し第１の凹部２２３ａと対向する略同一形状の第２の凹部２２３ｂが形成された第２の壁部２１７ｂとを有する。
第１の壁部２１７ａと第２の壁部２１７ｂとの間には、空間２３５が形成されている。
【００３９】
第１の壁部２１７ａ及び第２の壁部２１７ｂは、ペンダント２０１の使用状態において、下方にいくに従って相互間の距離が短くなるように傾斜している。
【００４０】
ペンダント２０１では、バチカン２２１の部品開口部２２１ａの内側に形成された凹部２２３に、チェーン２１１の環状部材２１５の角部が引っ掛けられることで、バチカン２２１をチェーン２１１の所定の位置に係止できる。
【００４１】
そのため、チェーン２１１上において、金具１３の第１係合部１３ａと第２係合部１３ｂとの略中間位置にバチカン２２１を係止することで、バチカン２２１が使用者の正面に位置する状態では、金具１３を常に使用者の首背面に位置させることができ、金具１３が正面に移動してしまうことを回避できる。
【００４２】
また、ペンダント２０１では、空間２３５を隔てて位置する第１の壁部２１７ａ及び第２の壁部２１７ｂに、それぞれ第１の凹部２２３ａ及び第２の凹部２２３ｂを形成し、それらにチェーン２１１の要素体２１５の角部を引っ掛けることで、引っ掛け箇所を２か所にでき、より安定して凹部２２３にチェーン２１１を係止できる。
【００４３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述したバチカン２１，１２１，２２１の形状は一例であり、開口部を備えていれば特に限定されない。
【００４４】
また、突出部２３，１２３の形状、並びに凹部２２３の形状は任意である。
さらに、上述した実施形態では、第１の凹部２２３ａ及び第２の凹部２２３ｂを個別に設けた場合を例示したが、一つの凹部として形成してもよい。
また、上述した実施形態では、バチカン２１，１２１，２２１と身飾品本体３１とを別体として設けた場合を例示したが、一体成形してもよい。
【産業上の利用可能性】
【００４５】
本発明は、ジュエリーなどの身飾品の身飾品部品に適用可能である。
【符号の説明】
【００４６】
１，１０１，２０１…ペンダント
１３…金具
１１，１１１，２１１…チェーン
１５，１１５…環状部材
２１，１２１，２２１…バチカン
２１ａ，１２１ａ…内周面
２３，１２３…突出部
２１５…要素体
２１７ａ…第１の壁部
２１７ｂ…第２の壁部
２２３…凹部
２２３ａ…第１の凹部
２２３ｂ…第２の凹部
【図１】
2018175495.tif 000003
【図２】
2018175495.tif 000004
【図３】
2018175495.tif 000005
【図４】
2018175495.tif 000006
【図５】
2018175495.tif 000007
【図６】
2018175495.tif 000008
【図７】
2018175495.tif 000009
【図８】
2018175495.tif 000010
【図９】
2018175495.tif 000011
【図１０】
2018175495.tif 000012
【図１１】
2018175495.tif 000013
【図１２】
2018175495.tif 000014
【図１３】
2018175495.tif 000015
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
複数の略矩形状の要素体を繋げて環状に形成される線状部材を通す部品開口部を備えた身飾品部品であって、
前記部品開口部の内側に、前記線状部材の前記要素体の外側表面を係止する凹部が設けられており、
前記凹部は、第１の凹部が形成された第１の壁部と、前記第１の壁部と平行に延在し前記第１の凹部と対向する略同一形状の第２の凹部が形成された第２の壁部とを有し、
前記第１の壁部と前記第２の壁部との間に空間を有し、
前記第１の壁部及び前記第２の壁部は、当該身飾品部品を用いた身飾品が前記線状部材を使用者の首に吊るされて装着された状態で下方にいくに従って相互間の距離が短くなるように傾斜しており、
前記第１の凹部と前記第２の凹部との２か所のみで前記線状部材を係止する
身飾品部品。
【請求項２】
身飾品本体は、連結部によって前記部品開口部と連結さているか、当該身飾品部品と一体的に形成されている
請求項１に記載の身飾品部品。
【請求項３】
複数の略矩形状の要素体を繋げて環状に形成される線状部材を通す部品開口部を備えた身飾品部品を備えた身飾品であって、
前記身飾品部品は、
前記部品開口部の内側に、前記線状部材の前記要素体の外側表面を係止する凹部が設けられており、
前記凹部は、第１の凹部が形成された第１の壁部と、前記第１の壁部と平行に延在し前記第１の凹部と対向する略同一形状の第２の凹部が形成された第２の壁部とを有し、
前記第１の壁部と前記第２の壁部との間に空間を有し、
前記第１の壁部及び前記第２の壁部は、当該身飾品部品を用いた身飾品が前記線状部材を使用者の首に吊るされて装着された状態で下方にいくに従って相互間の距離が短くなるように傾斜しており、
前記第１の凹部と前記第２の凹部との２か所のみで前記線状部材を係止する
身飾品。
【手続補正２】
【補正対象書類名】明細書
【補正対象項目名】０００５
【補正方法】変更
【補正の内容】
【０００５】
本発明の身飾品部品は、複数の略矩形状の要素体を繋げて環状に形成される線状部材を通す部品開口部を備えた身飾品部品であって、前記部品開口部の内側に、前記線状部材の前記要素体の外側表面を係止する凹部が設けられており、前記凹部は、第１の凹部が形成された第１の壁部と、前記第１の壁部と平行に延在し前記第１の凹部と対向する略同一形状の第２の凹部が形成された第２の壁部とを有し、前記第１の壁部と前記第２の壁部との間に空間を有し、前記第１の壁部及び前記第２の壁部は、当該身飾品部品を用いた身飾品が前記線状部材を使用者の首に吊るされて装着された状態で下方にいくに従って相互間の距離が短くなるように傾斜しており、前記第１の凹部と前記第２の凹部との２か所のみで前記線状部材を係止する。
【手続補正３】
【補正対象書類名】明細書
【補正対象項目名】０００６
【補正方法】変更
【補正の内容】
【０００６】
好適には、前記身飾品本体は、連結部によって前記部品開口部と連結さているか、当該身飾品部品と一体的に形成されている。
【手続補正４】
【補正対象書類名】明細書
【補正対象項目名】０００７
【補正方法】変更
【補正の内容】
【０００７】
本発明の身飾品は、複数の略矩形状の要素体を繋げて環状に形成される線状部材を通す部品開口部を備えた身飾品部品を備えた身飾品であって、前記身飾品部品は、前記部品開口部の内側に、前記線状部材の前記要素体の外側表面を係止する凹部が設けられており、前記凹部は、第１の凹部が形成された第１の壁部と、前記第１の壁部と平行に延在し前記第１の凹部と対向する略同一形状の第２の凹部が形成された第２の壁部とを有し、前記第１の壁部と前記第２の壁部との間に空間を有し、前記第１の壁部及び前記第２の壁部は、当該身飾品部品を用いた身飾品が前記線状部材を使用者の首に吊るされて装着された状態で下方にいくに従って相互間の距離が短くなるように傾斜しており、前記第１の凹部と前記第２の凹部との２か所のみで前記線状部材を係止する。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００４４
【補正方法】変更
【補正の内容】
【００４４】
また、突出部２３，１２３の形状、並びに凹部２２３の形状は任意である。
さらに、上述した実施形態では、第１の凹部２２３ａ及び第２の凹部２２３ｂを個別に設けた場合を例示したが、一つの凹部として形成してもよい。
また、上述した実施形態では、バチカン２１，１２１，２２１と身飾品本体３１とを別体として設けた場合を例示したが、一体成形してもよい。
本発明の身飾品部品は、複数の要素体を繋げて環状に形成される線状部材を通す部品開口部を備えた身飾品部品であって、前記部品開口部の内部に向けて突出し、前記線状部材を係止する突出部が前記部品開口部の内面に設けられている。
好適には、前記要素体が環状をしている場合に、前記突出部は、当該身飾品部品を用いた身飾品が前記線状部材を使用者の首に吊るされて装着された状態で、前記身飾品本体に向けて突出するように前記部品開口部の内面に設けられており、前記突出部は前記要素体の開口部内に位置する。
好適には、前記突出部が延在する方向における前記部品開口部の内径に対して、前記突出部の高さは半分以下であり、前記突出部は先細形状をしている。
好適には、前記要素体が球状をしている場合に、前記部品開口部の前記身飾品本体の位置と反対側に位置に前記線状部材を吊るした状態で、前記突出部は、重力方向に対して１°〜９０°の角度を持つ方向に延在するように、前記部品開口部の内面に設けられており、前記要素体の外面と前記突出部とが係止する。
好適には、前記突出部の先端と、前記部品開口部の内面との最短距離は、前記線状部材の外径より大きい。
また、本発明の身飾品部品は、複数の略矩形状の要素体を繋げて環状に形成される線状部材を通す部品開口部を備えた身飾品部品であって、前記部品開口部の内側に、前記線状部材の前記要素体の外側表面を係止する凹部が設けられている。
好適には、前記凹部は、第１の凹部が形成された第１の壁部と、前記第１の壁部と平行に延在し前記第１の凹部と対向する略同一形状の第２の凹部が形成された第２の壁部とを有し、前記第１の壁部と前記第２の壁部との間に空間を有する。
好適には、前記第１の壁部及び前記第２の壁部は、当該身飾品部品を用いた身飾品が前記線状部材を使用者の首に吊るされて装着された状態で下方にいくに従って相互間の距離が短くなるように傾斜している。
好適には、身飾品本体は、連結部によって前記部品開口部と連結さているか、当該身飾品部品と一体的に形成されている。
また、本発明の身飾品は、上記身飾品部品を備えている。